(57)【要約】【課題】簡単な構成の球抜装置を備えた遊技機の提供である。【解決手段】パチンコ機Ｐの下皿部３に取付けられ、貯留球を排出させるための球抜装置Ａを構成するシャッター板１３が、球抜ボタン７の進退と連動して回動されるように構成して、前記下皿部３の球抜孔３ａを開閉させる。【選択図】        図１０
2004180890.tif 000002
【特許請求の範囲】
【請求項１】
下皿に貯留された球を排出するための球抜装置を備えた遊技機であって、
前記球抜装置は、前記下皿の底面部に設けられた球抜孔を閉塞するシャッター板と、
前記シャッター板を動作させて球抜孔を開閉すべく、前記シャッター板と連結する球抜ボタンとを備え、
前記球抜ボタンを遊技機の前後方向に沿って押し込むことにより、前記シャッター板が回動して球抜孔が開閉されるように構成されていることを特徴とする遊技機。
【請求項２】
前記シャッター板の回動支持部は、前記球抜孔を閉塞する閉塞部から、平面視において手前側に屈曲された状態で延設されていて、その回動支点は、前記回動支持部の端部に設けられていることを特徴とする請求項１に記載の遊技機。
【請求項３】
前記シャッター板を、前記球抜孔が開いた状態に保持するためのロック装置が設けられていることを特徴とする請求項１又は２に記載の遊技機。
【請求項４】
下皿に貯留された球を排出するための球抜装置を備えた遊技機であって、
前記球抜装置は、前記下皿の底面部に設けられた球抜孔を閉塞するシャッター板と、
前記シャッター板を動作させて球抜孔を開閉すべく、前記シャッター板と連結する球抜ボタンとを備え、
前記球抜ボタンは、遊技機の下皿を形成する下皿カバーに設けられた凹部から突出して取付けられていることを特徴とする遊技機。
【請求項５】
前記凹部には、前記下皿カバーとは別体の凹部カバーが取付けられていることを特徴とする請求項４に記載の遊技機。
【発明の詳細な説明】
【０００１】
【発明の属する技術分野】
本発明は、下皿に貯留された球を排出するための球抜装置を備えた遊技機に関するものである。
【０００２】
【従来の技術】
遊技機の一例であるパチンコ機の前面下部には、球を貯留するための下皿が設けられている。この下皿には、該下皿に貯留された球（貯留球）を排出するための球抜装置が取付けられている。即ち、前記下皿には、貯留球を排出するための球抜孔が設けられていて、通常の状態で、該球抜孔は、シャッター板によって閉塞されている。このシャッター板を動作させるための手段として、該シャッター板に連結された操作レバーをスライドさせたり、押ボタンを押したりする等、各種の技術が開示されている（特許文献１参照）。
【０００３】
通常のパチンコ機では、操作レバーを横方向にスライドさせてシャッター板を動作させるものが多い。この形態の球抜装置では、操作レバーをスライドさせるために、遊技者に余分な力を使わせてしまい、遊技に対する興趣を低減させてしまう。
【０００４】
例えば、特許文献１に開示された技術の場合、シャッター板を動作させるために押ボタンを押す形態であるため、その操作は容易であるが、その構成は極めて複雑である。
【０００５】
【特許文献１】
特許第３３２６２４１号公報
【０００６】
【発明が解決しようとする課題】
本発明は、上記した不具合に鑑み、構成が簡単で、しかも、操作が容易な球抜装置を備えた遊技機を提供することを課題としている。
【０００７】
【課題を解決するための手段】
上記課題を解決するための請求項１に記載の発明は、下皿に貯留された球を排出するための球抜装置を備えた遊技機であって、前記球抜装置は、前記下皿の底面部に設けられた球抜孔を閉塞するシャッター板と、前記シャッター板を動作させて球抜孔を開閉すべく、前記シャッター板と連結する球抜ボタンとを備え、前記球抜ボタンを遊技機の前後方向に沿って押し込むことにより、前記シャッター板が回動して球抜孔が開閉されるように構成されていることを特徴としている。
【０００８】
遊技者が球抜きをしようとする場合、該遊技機の前後方向に沿って球抜ボタンを押し込む。すると、前記球抜ボタンに連結されたシャッター板が回動し、遊技機の下皿に設けられた球抜孔が徐々に開かれる。このため、前記下皿に貯留されていた球が、前記球抜孔から排出される。この発明の場合、シャッター板を回動させることによって球抜孔を開閉する構成であるため、球抜ボタンのストロークが短くなり、球抜装置全体の大きさをコンパクトなものにすることができると共に、その構成を簡単なものにすることができる。
【０００９】
請求項２に記載の発明は、請求項１に記載の発明を前提として、前記シャッター板の回動支持部は、前記球抜孔を閉塞する閉塞部から、平面視において手前側に屈曲された状態で延設されていて、その回動支点は、前記回動支持部の端部に設けられていることを特徴としている。この発明の場合、シャッター板の大きさを再使用のものにすることができ、球抜装置の大きさがコンパクトになる。
【００１０】
請求項３に記載の発明は、請求項１又は２に記載の発明を前提として、前記シャッター板を、前記球抜孔が開いた状態に保持するためのロック装置が設けられていることを特徴としている。この発明の場合、ロック装置の作用により、シャッター板は、球抜孔を開いた状態で保持される。このため、遊技者が球抜ボタンから指を離しても、球抜きが行われ、その操作が容易である。
【００１１】
請求項４に記載の発明は、下皿に貯留された球を排出するための球抜装置を備えた遊技機であって、前記球抜装置は、前記下皿の底面部に設けられた球抜孔を閉塞するシャッター板と、前記シャッター板を動作させて球抜孔を開閉すべく、前記シャッター板と連結する球抜ボタンとを備え、前記球抜ボタンは、遊技機の下皿を形成する下皿カバーに設けられた凹部から突出して取付けられていることを特徴としている。この発明では、球抜ボタンが、下皿カバーからでなく、該下皿カバーに設けられた凹部から突出しているため、該球抜ボタンのストロークを同一としたまま、下皿カバーからの突出量を短くできる。このため、遊技者による遊技の支障とならないと共に、誤動作によって球抜ボタンが押されるという不具合が起こりにくくなる。
【００１２】
請求項５に記載の発明は、請求項４に記載の発明を前提として、前記凹部には、前記下皿カバーとは別体の凹部カバーが取付けられていることを特徴としている。この発明の場合、球抜ボタンの周辺部が傷ついても、凹部カバーの交換だけで済むと共に、該凹部カバーによって遊技機の美観を向上させることができる。
【００１３】
【発明の実施の形態】
以下、実施形態をあげて、本発明を更に詳細に説明する。本明細書では、遊技機の一例であるパチンコ機Ｐについて説明する。図１はパチンコ機Ｐの全体斜視図、図２は下皿カバー６の正面図、図３は図２のＸ−Ｘ線断面図、図４は球抜装置Ａの平面図、図５は同じく斜視図、図６は同じく分解斜視図である。最初に、パチンコ機Ｐについて簡単に説明する。図１に示されるように、パチンコ機Ｐの正面部には遊技領域を有する遊技盤１が設けられていて、前記遊技盤１の下部には、手前側（遊技者の側）に突出する形態で上皿部２と下皿部３とが設けられている。そして、正面視における前記下皿部３の右側には、遊技球を打ち出すためのハンドル４が取付けられている。なお、図１において、５は灰皿である。
【００１４】
下皿部３について説明する。図１及び図２に示されるように、この下皿部３は球（貯留球）を収容するためのものであり、下皿カバー６に形成されている。そして、その底面部には、平面視において略方形状の球抜孔３ａが設けられていると共に、その下部には、前記球抜孔３ａを開口させて、貯留球を排出するための球抜装置Ａが取付けられている。図３に示されるように、球抜装置Ａを構成する球抜ボタン７の先端部は、下皿カバー６から僅かに手前側（遊技者の側）に突出している。即ち、前記下皿カバー６において、前記球抜ボタン７が配置される部分には、正面視において略楕円形状の凹部６ａが形成されていて、該凹部６ａに凹部カバー８が取付けられている。正面視における凹部カバー８のほぼ中央部には、略楕円状の球抜ボタン挿通孔８ａが設けられていて、前記球抜ボタン７は、該球抜ボタン挿通孔８ａに挿通されている。
【００１５】
また、球抜ボタン７の上面部には、ストッパ板７ａが突設されていると共に、凹部カバー８における前記ストッパ板７ａが装着される部分には、該ストッパ板７ａに対応する切欠部８ｂが設けられている。この球抜ボタン７は、後述する戻しばね２４の付勢力により、常に手前側に付勢されているが、前記ストッパ板７ａが、凹部カバー８の切欠部８ｂに当接することにより、それ以上前進させられることが防止されている。
【００１６】
本実施形態のパチンコ機Ｐにおける球抜装置Ａについて説明する。図４ないし図６に示されるように、この球抜装置Ａは、球抜ボタン７と一体に取付けられると共に、パチンコ機Ｐの前後方向に沿って進退可能にしてベース板９に装着される枠体１１と、該枠体１１の進退に伴って回動され、球抜開口１２を開閉するシャッター板１３と、前記枠体１１をその前進端位置（球抜開口１２の全開位置）で保持するためのロック装置Ｌとから構成されている。
【００１７】
最初に、ベース板９について説明する。図４ないし図６に示されるように、このベース板９は、平面視において略方形状であり、その上面に補強のための周壁部９ａが立設されている。ベース板９のほぼ中央部で、前述した下皿部３の球抜孔３ａの直下には、該球抜孔３ａとほぼ同一形状の球抜開口１２が設けられている。このため、「シャッター板１３によって球抜開口１２が開閉される」ということは、「シャッター板１３によって下皿部３の球抜孔３ａが開閉される」ということと同一の意味である。前記球抜開口１２の周縁部には、前記球抜開口１２に臨む枠体案内壁部１４が立設されている。この枠体案内壁部１４は、その外側部分に装着された枠体１１の進退を案内すると共に、前記球抜開口１２を、下皿部３の球抜孔３ａにほぼ連続させて、貯留球をスムーズに排出させるためのものである。また、ベース板９の一方側で、前記周壁部９ａと前記枠体案内壁部１４との間には、回動支点ピン１５を取付けると共に、回動されるシャッター板１３を滑らせるための滑り案内壁部１６が立設されている。この滑り案内壁部１６の高さは、前記枠体案内壁部１４の高さと同一である。更に、ベース板９の幅方向のほぼ中央部の奥側には、ロック装置Ｌを装着するためのロック装置用壁部１７が立設されている。なお、図４において、１８は、ベース板９を下皿カバー６に固着する各取付ねじ（図示せず）を挿通するためのねじ取付部である。
【００１８】
次に、枠体１１について説明する。図４ないし図６に示されるように、この枠体１１は、平面視において方形枠状であり、その手前側の部分には球抜ボタン７の切欠部７ｂを嵌め込んで、一体に連結するための凸部１１ａが設けられている。このため、長期間、パチンコ機Ｐを使用しても、前記球抜ボタン７の取付位置がずれることはない。また、その奥側の部分には、ロック装置Ｌに入り込んで係合ロックされる係合突起部１９が設けられている。この係合突起部１９の先端部は、ロック装置Ｌを構成する一対の爪体２１（後述）に係合されるように、平面視において幅広の略台形状となっている。更に、前記枠体１１の側方部分には、シャッター板１３の長孔２６ｂ（後述）に嵌まり込んで、該シャッター板１３を回動させるための作動ピン２２が、高さ方向に沿って取付けられている。
【００１９】
この枠体１１は、前述した枠体案内壁部１４の外周部分に装着される。このため、前記枠体の内幅は、枠体案内壁部１４の外幅よりも僅かに広い。そして、該枠体１１は、枠体案内壁部１４に案内されて、パチンコ機Ｐの前後方向（矢印２３の方向）に沿って進退可能である。また、前記枠体案内壁部１４における外周部分の前面部と、枠体１１における凸部１１ａとの間には、押し込まれた（後退された）枠体１１を戻す（前進させる）ための戻しばね２４が弾装されている。前記枠体１１は、前記戻しばね２４の付勢力により、常に、手前側（遊技者の側）に付勢されている。そして、この状態で、枠体１１における後部の内周面と、枠体案内壁部１４における後部の外周面とが当接している。この結果、前記枠体１１は、それ以上前進させられることはない。
【００２０】
次に、シャッター板１３について説明する。図６に示されるように、このシャッター板１３は、球抜開口１２を閉塞するために、該球抜開口１２よりも少し大きな面積を有する閉塞部２５と、該閉塞部２５から、手前側に所定の角度で屈曲されて延設された回動支持部２６とから構成されていて、平面視において、略「く」の字状である。そして、前記回動支持部２６の一端部には、ベース板９の滑り案内壁部１６に取付けられた回動支点ピン１５を挿通させるための挿通孔２６ａが設けられている。また、シャッター板１３の回動支持部２６において、前記挿通孔２６ａの近傍の部分には、枠体１１の作動ピン２２を挿通させるための長孔２６ｂが設けられている。このシャッター板１３は、ベース板９の枠体案内壁部１４と滑り案内壁部１６との上面に跨がって載置される。この状態で、前記回動支持部２６の挿通孔２６ａに、回動支点ピン１５が挿通されると共に、その長孔２６ｂに、枠体１１の作動ピン２２が挿通される。このようにして、枠体１１とシャッター板１３とが連結される。枠体１１を、パチンコ機Ｐの前後方向（矢印２３の方向）に沿って進退させると、それに伴って、シャッター板１３も進退しようとする。しかし、シャッター板１３は、回動支点ピン１５を介してベース板９に取付けられていて、進退不能である。この結果、前記シャッター板１３は、枠体１１の進退に伴い、回動支点ピン１５の軸心を中心に、枠体案内壁部１４及び滑り案内壁部１６の上面を滑りながら、水平面内で回動される。なお、枠体１１の高さは、枠体案内壁部１４よりも僅かに低い。このため、枠体１１が進退しても、シャッター板１３の回動に支障が生ずることはない。
【００２１】
図４及び図５に示されるように、前記枠体１１が前進端位置に配置されているとき、シャッター板１３により、ベース板９の球抜開口１２の全体が閉塞されている。また、球抜ボタン７が押し込まれ、枠体１１が後退されると、それに伴ってシャッター板１３も回動される。そして、前記枠体１１が後退端位置に配置されると、前記球抜開口１２が全開される（図１１参照）。このように、本実施形態の球抜装置Ａは、枠体１１の直線的な進退を、シャッター板１３の回動に変換させて、球抜開口１２を開閉する構成である。
【００２２】
次に、ロック装置Ｌについて説明する。図４に示されるように、ベース板９の奥側で、枠体１１の係合突起部１９と対応する部分には、ロック装置Ｌが取付けられている。このロック装置Ｌは、図７及び図８に示されるように、有底角筒状で、手前側（枠体１１の側）に幅広のガイド部２７ａが設けられたケース体２７に、枠体１１の進退方向（矢印２３の方向）に沿って進退可能に内装される装置本体部２８と、該装置本体部２８が押し込まれたとき（後退されたとき）に、その状態でロックして保持するためのロック機構とから成る。
【００２３】
前記装置本体部２８は、可撓性を有する樹脂材より成り、その前端部（枠体１１と相対向する側の端部）から一対の爪体２１が延設されている。一対の爪体２１は、平面視において略Ｌ字状に屈曲されていて、通常の状態（ロック機構が作動していない状態）で、ケース体２７のガイド部２７ａから拡開して突出されている。装置本体部２８と各爪体２１との接続部における樹脂材は極めて薄くなっていると共に、当該部分の内側に、一対の爪体２１を内側に折り曲げるための空間部が形成されている。このため、一対の爪体２１を、容易に内側に折り曲げることができる。また、装置本体部２８の上面には、ストッパピン２９が立設されていて、前記ケース体２７の上面に、枠体１１の進退方向（矢印２３の方向）に沿って形成された長孔２７ｂに嵌まり込んでいる。このため、前記装置本体部２８は、前記長孔２７ｂの間においてのみ進退可能である。そして、装置本体部２８とケース体２７の後壁部との間には、圧縮ばね３１が弾装されていて、該圧縮ばね３１の付勢力により、装置本体部２８は、常に、前方（枠体１１の側）に付勢されている。
【００２４】
次に、ロック機構について説明する。図７及び図８に示されるように、装置本体部２８の上面で、ストッパピン２９の後部には、水平面内で回転自在にして、係合片３２が取付けられている。この係合片３２における長手方向の両端部は、凹状に切除されていて、当該部分に各係合凹部３２ａが形成されている。そして、前記ケース体２７の内面部（天井面の部分）には、前記係合片３２の各係合凹部３２ａと係合される被係合部３３が設けられている。また、ケース体２７の後壁部には、前記係合片３２を当接させて回動させるためのカム面３４ａを有する第１及び第２の各突起部３４，３５が取付けられている。
【００２５】
ロック装置Ｌの作用について説明する。図７及び図８に示されるように、通常の状態で、前記装置本体部２８は、圧縮ばね３１の付勢力により、前方（枠体１１の側）に付勢されていて、前記装置本体部２８に取付けられた一対の爪体２１は、拡開状態でケース体２７のガイド部２７ａから突出されている。そして、装置本体部２８の上面に取付けられたストッパピン２９が、ケース体２７の長孔２７ｂの前端部に係止されている。遊技者が、球抜を行う場合、戻しばね２４の付勢力に抗して球抜ボタン７を押し込む（図１０参照）。図９の（イ）に示されるように、それに伴って枠体１１も後退し、該枠体１１の後部に突設された係合突起部１９が、一対の爪体２１の間に入り込み、ロック装置Ｌの装置本体部２８の前端面に当接する。更に球抜ボタン７が押し込まれると、圧縮ばね３１の付勢力に抗して、装置本体部２８が後退される。それに伴い、拡開状態の一対の爪体２１は、ケース体２７のガイド部２７ａに当接し、徐々にそれらの間隔を狭めながら、それらの間に配置された枠体１１の係合突起部１９を挟持する。一対の爪体２１は、対応するガイド部２７ａの内面に当接し、拡開不能となる。こうすることにより、枠体１１の係合突起部１９と一対の爪体２１とが係合される。また、このとき、係合片３２は、ケース体２７の内側に設けられた被係合部３３に阻まれて、回動不能である。
【００２６】
更に、装置本体部２８が後退されると、係合片３２の係合凹部３２ａを形成する後側の頂部が、第１突起部３４のカム面３４ａに当接する。このとき、前記係合片３２は、ケース体２７の被係合部３３との隣接状態から解放されて、回動可能となる。このため、前記係合片３２は、第１突起部３４のカム面３４ａに案内されて回動される。
【００２７】
図９の（ロ）に示されるように、この状態で、遊技者が球抜ボタン７の押し込みを停止すると、装置本体部２８は、圧縮ばね３１の弾性復元力により戻ろうとする。即ち、枠体１１の側に向かって前進しようとする。ところが、前記係合片３２は、平面視において傾斜状態に配置されているため、該係合片３２の前側の係合凹部３２ａは、ケース体２７の被係合部３３の隅部に入り込んで係合される。このため、装置本体部２８は、枠体１１と一体となった状態で停止して、保持される。即ち、係合ロックされる。この結果、シャッター板１３は、回動状態で保持され、球抜開口１２が全開される。
【００２８】
次に、ロック装置Ｌにおいて、ロック状態が解除される場合の作用について説明する。図９の（ハ）に示されるように、遊技者が、再度、球抜ボタン７を押し込むと、枠体１１を介して装置本体部２８が後退される。この結果、係合片３２とケース体２７の被係合部３３との係合状態が解除される。そして、係合片３２の側面部が第２突起部３５に当接し、該係合片３２は、徐々に反時計回りの方向に回動される。装置本体部２８は、圧縮ばね３１の弾性復元力により前進させられる。前記係合片３２は、装置本体部２８の前進中に、その側面部がケース体２７の被係合部３３と当接して反時計回りの方向に回動され、前進と共にケース体２７の被係合部３３に阻まれて回動不能となる。そして、被係合部３３に係合することなく、該被係合部３３の長手方向に沿ってそのまま前進される。装置本体部２８が前進されるのに伴い、一対の爪体２１は、ケース体２７のガイド部２７ａから突出して、徐々に拡開される。このため、枠体１１の係合突起部１９と一対の爪体２１との係合が解除される。装置本体部２８は、ストッパピン２９が、ケース体２７の長孔２７ｂの前端部に配置されることにより停止される。このようにして、枠体１１の係合突起部１９と一対の爪体２１との係合が解除されると、前記枠体１１は装置本体部２８から分離され、戻しばね２４の弾性復元力によって前進される。この結果、シャッター板１３が逆方向に回動され、球抜開口１２は閉塞される。
【００２９】
本発明に係るパチンコ機Ｐの球抜装置Ａの作用について説明する。図４に示されるように、通常の状態で、球抜装置Ａを構成するシャッター板１３は、パチンコ機Ｐの下皿部３に設けられた球抜孔３ａを閉塞している。前記下皿部３から球抜きを行う場合、遊技者は、球抜ボタン７を押し込む。前記球抜ボタン７が、戻しばね２４の弾性復元力に抗して押し込まれると、それに伴って、枠体１１が後退される。この枠体１１は、作動ピン２２を介して、シャッター板１３と連結されている。このため、枠体１１が後退されると、前記シャッター板１３は、回動支点ピン１５の軸心を中心として回動される。
【００３０】
図１０に示されるように、前記シャッター板１３が回動されるのに伴い、前記シャッター板１３の閉塞部２５は、球抜開口１２の直上から徐々にずれ、両者の間に球排出口Ｖが形成される。この球排出口Ｖは、平面視において略扇形であり、その円弧部に相当する部分の幅が球の外径よりも僅かに大きくなると、当該位置（落下位置）に配置されていた球（特定球Ｂ）が落下する。しかし、この時点において、前記球排出口Ｖは、特定球Ｂの１個分に相当する大きさを有するのみであるため、前記特定球Ｂの周囲に配置されている球が落下することはない。図１０において、特定球Ｂを二点鎖線で示し、該特定球Ｂの周囲の球を実線で示す。シャッター板１３が、更に回動され、前記球排出口Ｖが大きくなると、前記特定球Ｂの周囲の球も落下される。
【００３１】
図１１に示されるように、球抜ボタン７が、更に押し込まれると、枠体１１の係合突起部１９がロック装置Ｌの装置本体部２８に当接して、該装置本体部２８をそのまま押し込む。このとき、前記係合突起部１９は、一対の爪体２１に挟持されてケース体２７に入り込み、ロック装置Ｌの作用により、係合ロックされた状態で保持される。このため、球抜開口１２が全開の状態で保持される。
【００３２】
球抜開口１２を閉塞する場合、遊技者は、再度、球抜ボタン７を押し込む。ロック装置Ｌの係合片３２とケース体２７の被係合部３３との係合が解除され、前記枠体１１は、圧縮ばね３１の弾性復元力により、前進させられる。このため、枠体１１の係合突起部１９と、一対の爪体２１との係合ロック状態が解除され、枠体１１とロック装置Ｌとが分離される。更に、枠体１１は、戻しばね２４の弾性復元力により、前進させられる。このとき、前記枠体１１と連結されたシャッター板１３も、逆方向に回動される。この結果、シャッター板１３により、球抜開口１２が閉塞される。
【００３３】
ここで、前記シャッター板１３の回動支点は、該シャッター板１３の閉塞部２５から延設された回動支持部２６の端部に設けられている。即ち、前記閉塞部２５よりも、所定の距離だけ離れた位置に設けられている。このため、前記シャッター板１３の閉塞部２５が、球抜開口１２を開閉させるために必要な回動角度が小さくて済む。これは、枠体１１の進退量（即ち、球抜ボタン７の押込み量）が短くて済むということを意味している。
【００３４】
しかも、前記シャッター板１３は、平面視において略「く」の字状を呈している。このため、回動支持部２６の大きさを最小にすることができ、回動されることによって、前記回動支持部２６が左右方向に張り出す部分を小さくできる。このため、球抜装置Ａ全体の大きさをコンパクトなものにすることができる。
【００３５】
従来の球抜装置（例えば、特許文献１に開示された球抜装置）の場合、シャッター板１３が、球抜開口１２に平行にスライドする形態であるため、平面視において略長方形状の球排出口Ｖが形成される。この結果、シャッター板１３が閉じられるとき、球抜開口１２の部分（下皿の球抜孔１３と球抜開口１２との接続部）で球噛みが発生しやすい。しかし、本発明に係る球抜装置Ａでは、シャッター板１３が回動して、平面視において略三角形状に形成される球排出口Ｖが、徐々に大きくなる形態である。このため、シャッター板１３が閉じられるときであっても、球開口１２の部分で球噛みが発生しにくくなる。
【００３６】
本実施形態の球抜装置Ａでは、球抜ボタン７を押し込むことによって、動作する部材は、枠体案内壁部１４に案内されて進退する枠体１１と、該枠体１１と連動して回動されるシャッター板１３の２個のみである。このため、球抜装置Ａの構成を、極めて簡単なものにすることができる。
【００３７】
本実施形態のパチンコ機Ｐでは、下皿カバー６において、球抜ボタン７が配置される部分に凹部６ａが設けられていて、前記球抜ボタン７は、前記凹部６ａから突出されている。この場合、球抜ボタン７の突出長は、球抜ボタン７のストロークを同一にしたまま、該球抜ボタン７を下皿カバー６の前部から突出させた場合よりも短くて済む。このため、球抜ボタン７が遊技の支障にならないと共に、誤動作によって球抜ボタン７が押されるという不具合が起こりにくくなる。
【００３８】
また、球抜ボタン７の周囲には、下皿カバー６と別体の凹部カバー８が取付けられている。前記下皿カバー６を交換することは困難であるが、前記凹部カバー８を交換することは容易である。このため、遊技者が球抜ボタン７を押す際に爪で引っ掻いても、凹部カバー８に傷がつくのみである。この結果、下皿カバー６を交換する必要はなく、凹部カバー８を交換するだけで済み、パチンコ機Ｐの美観を保つことが容易である。更に、例えば、前記凹部カバー８の色彩を、下皿カバー６の色彩と異ならせることにより、パチンコ機Ｐの美観を向上させることができる。
【００３９】
本実施形態の遊技機はパチンコ機であるが、パチンコ機以外の遊技機、例えば、遊技球をコインに換算して遊技を行うスロットマシンであっても構わない。
【００４０】
【発明の効果】
本発明に係る遊技機は、下皿に貯留された球を排出するための球抜装置を備えた遊技機であって、前記球抜装置は、前記下皿の底面部に設けられた球抜孔を閉塞するシャッター板と、前記シャッター板を動作させて球抜孔を開閉すべく、前記シャッター板と連結する球抜ボタンとを備え、前記球抜ボタンを遊技機の前後方向に沿って押し込むことにより、前記シャッター板が回動して球抜孔が開閉されるように構成されていることを特徴としている。このため、シャッター板を回動させるための球抜ボタンのストロークを短くすることができ、球抜装置の構成を簡単なものにすることができる。
【図面の簡単な説明】
【図１】パチンコ機Ｐの全体斜視図である。
【図２】下皿カバー６の正面図である。
【図３】図２のＸ−Ｘ線断面図である。
【図４】球抜装置Ａの平面図である。
【図５】同じく斜視図である。
【図６】同じく分解斜視図である。
【図７】ロック装置Ｌの平面断面図である。
【図８】同じく側面断面図である。
【図９】（イ）ないし（ハ）は、ロック装置Ｌの作用説明図である。
【図１０】特定球Ｂが落下する状態の球抜装置Ａの平面図である。
【図１１】球抜開口１２が全開された状態の球抜装置Ａの平面図である。
【符号の説明】
Ａ：球抜装置
Ｂ：特定球（球）
Ｌ：ロック装置
Ｐ：パチンコ機（遊技機）
３：下皿部（下皿）
３ａ：球抜孔
６：下皿カバー
６ａ：凹部
７：球抜ボタン
８：凹部カバー
１２：球抜開口（球抜孔）
１３：シャッター板
２５：閉塞部
２６：回動支持部
１５：回動支点ピン（回動支点）
【図１】
2004180890.tif 000003
【図２】
2004180890.tif 000004
【図３】
2004180890.tif 000005
【図４】
2004180890.tif 000006
【図５】
2004180890.tif 000007
【図６】
2004180890.tif 000008
【図７】
2004180890.tif 000009
【図８】
2004180890.tif 000010
【図９】
2004180890.tif 000011
【図１０】
2004180890.tif 000012
【図１１】
2004180890.tif 000013